(57)【要約】【課題】本発明は、簡単な構造でトナーカートリッジ取り付け時のトナー粉飛散、及び／又はフィルム部材の接触によるトナー粉汚れを防止することができる画像形成装置を提供することを目的とするものである。【解決手段】本発明は、画像形成装置の現像器にトナーを供給するトナーカートリッジであって、トナーが収納されるカートリッジ本体と、前記カートリッジ本体に収納されたトナーを密封するフィルム部材と、前記フィルム部材の一方端側に取り付けられ、前記フィルム部材が前記カートリッジ本体から除去される際にフィルム部材を被覆する袋体と、から成ることを特徴としている。【選択図】図３
2007155862.tif 000002
【特許請求の範囲】
【請求項１】
トナーが収納されるカートリッジ本体と、
前記カートリッジ本体に収納されたトナーを密封するフィルム部材と、
前記フィルム部材の一方端側に取り付けられ、前記フィルム部材が前記カートリッジ本体から除去される際にフィルム部材を被覆する袋体と、
を備えたトナーカートリッジ。
【請求項２】
トナーが収納されるカートリッジ本体と、
画像形成装置の像担持体にトナーを供給する現像ローラと、
前記トナー収納部に収納されたトナーを密封するフィルム部材と、
前記フィルム部材の一方端側に取り付けられ、前記フィルム部材が前記カートリッジ本体から除去される際にフィルム部材を被覆する袋体と、
を備えたトナーカートリッジ。
【請求項３】
前記袋体はトナーカートリッジの外部側に取り付けられていることを特徴とする請求項1または２に記載のトナーカートリッジ。
【請求項４】
前記袋体はトナーカートリッジの内部側に取り付けられていることを特徴とする請求項1または２に記載のトナーカートリッジ。
【請求項５】
トナーが収納されるカートリッジ本体と、
前記カートリッジ本体に収納されたトナーを密封する袋状フィルム部材と、
前記袋状フィルム部材の内部に挿入され、前記袋状フィルム部材の閉口側の端部に取り付けられた引張部材と、
を備えたトナーカートリッジ。
【請求項６】
トナーが収納されるカートリッジ本体と、
画像形成装置の像担持体にトナーを供給する現像ローラと、
前記トナー収納部に収納されたトナーを密封する袋状フィルム部材と、
前記袋状フィルム部材の内部に挿入され、前記袋状フィルム部材の閉口側の端部に取り付けられた引張部材と、
を備えたトナーカートリッジ。
【請求項７】
請求項1乃至６に記載のトナーカートリッジを備えたことを特徴とする画像形成装置。
【発明の詳細な説明】
【技術分野】
【０００１】
この発明は、ファクシミリ装置、複写機、プリンタ等に適用される電子写真式の画像形成装置のトナーカートリッジに関するものである。
【背景技術】
【０００２】
電子写真式の画像形成装置においては、像担持体としての感光体ドラムの周面上または上方に、帯電器、露光機、現像器および転写ローラが、感光ドラムの回転方向に沿って順番に配置されている。印刷動作時には、回転する感光体ドラムの外周面が帯電器により一様に帯電され、露光器により感光体ドラム外周面に静電潜像が形成される。
【０００３】
そして、この感光体ドラム上の静電潜像には現像器によりトナーが供給され、トナー画像が形成される。そして、このトナー画像が転写ローラにより用紙上に転写される。用紙上に転写されたトナー画像は、定着ローラにより加熱され、用紙に固定される。
【０００４】
このような画像形成装置では、現像器に貯えられているトナーの量が減少すると、用紙に転写されるトナー画像に、画像ムラ等の印刷不良を起こしてしまう。そこで、現像器中のトナー残量が一定量以下になったときには、トナーを補充する作業が必要となる。
【０００５】
現像器へのトナーの補充は、トナーを内封するトナーカートリッジを現像器に取り付けてトナーを補充する方法と、現像器そのものをトナーカートリッジとして交換する方法と、がある。
【０００６】
従来の画像形成装置において、トナーカートリッジ１は図７（ａ）および図７（ｂ）に示すように、トナーを収納するためのフレームであるカートリッジ本体４と、カートリッジ本体４の開口部５の周辺に形成されたフランジ部９と、開口部５の全面を覆うようにしてフランジ部９に剥離可能な強さで接着されているフィルム部材６と、フィルム部材６が挿通される挿通孔１１と、から成る。
【０００７】
現像器にトナーを補給する必要がある場合には、使用済みのトナーカートリッジ１を現像器から取り外し、その後、新しいトナーカートリッジ１を現像器に取り付ける。そして、フィルム部材６を剥離除去することにより、トナーカートリッジ１に内封されていたトナーは、自重により現像器に落下する。このようにして、現像器へのトナーの補充が行われる。
【０００８】
また、現像器へのトナーの補充は、上述したようにトナーを内封するトナーカートリッジ１を、現像器２に取り付けてトナーを補充する方法以外に、現像器そのものをトナーカートリッジとして交換する方法がある。
【０００９】
使用済みのトナーカートリッジを交換する際には、トナーカートリッジに付着したトナーが装置本体、もしくはユーザに付着しないような改良工夫が提案されている。
【００１０】
例えば、特許文献1では、トナーカートリッジの鍔に一端側を取り付けたビニール袋の他端側に、輪状で折り曲げ可能な口金を設け、該口金は前記カートリッジの外周を移動可能にしておくことにより、カートリッジを抜き出した際には、これを折り曲げしてビニール袋内にカートリッジの主胴部を密閉できるようにしたことを特徴とする複写機等の画像形成装置が記載されている。
【００１１】
また、特許文献２には、柔軟な袋の開口部をトナー給紙口の入り口にゴムバンド等により着脱自在に取り付けたことにより、トナーカートリッジが外部に引き出されたときには、トナーカートリッジは袋内にすっぽりと収められ、トナーカートリッジの残余トナーが外部に飛散することを防止することができる点が記載されている。
【特許文献１】実開昭６０−２３８７０
【特許文献２】特開昭５７−１２２４６２
【発明の開示】
【発明が解決しようとする課題】
【００１２】
前記特許文献に記載されたトナーカートリッジの飛散防止機構は、トナーカートリッジの取り外し時のトナーの飛散による汚れを防止することを目的としている。ところが、トナーの飛散による汚れは、前述したトナーカートリッジの取り外し時以外にも発生する。例えば、新規トナーカートリッジ取り付け時にトナーを封入しているフィルムを剥離除去する際に、このフィルムに付着したトナーが飛散することがある。さらには、前記フィルムがユーザの手に接触することにより、ユーザの手を汚してしまうこともある。
【００１３】
そこで、本発明は、簡単な構造でトナーカートリッジ取り付け時のトナーの飛散、及び／又はフィルムの接触により発生するトナー付着汚れを防止することができるトナーカートリッジを提供することを目的とするものである。
【課題を解決するための手段】
【００１４】
上記目的を達成するために、本発明のトナーカートリッジは、トナーが収納されるカートリッジ本体と、前記カートリッジ本体に収納されたトナーを密封するフィルム部材と、前記フィルム部材の一方端側に取り付けられ、前記フィルム部材が前記カートリッジ本体から除去される際に、フィルム部材を被覆する袋体と、を備えたことを特徴とする。
【００１５】
本発明のトナーカートリッジによれば、新規トナーカートリッジのカートリッジ本体に対し、トナーを密封するために貼り付けられているフィルム部材を剥離除去する際、トナーが付着しているフィルム部材を被覆して収納する袋体を備えているので、トナーの飛散、付着を原因とする汚れを防止することできる。
【００１６】
また、本発明のトナーカートリッジは、トナーが収納されるトナー収納部と、
画像形成装置の像担持体にトナーを供給する現像ローラと、前記トナー収納部に収納されたトナーを密封するフィルム部材と、前記フィルム部材の一方端側に取り付けられ、前記フィルム部材が前記カートリッジ本体から除去される際に、フィルム部材を被覆する袋体と、を備えたことを特徴としている。
【００１７】
本発明のトナーカートリッジによれば、現像器がユニット化されたトナーカートリッジであっても、トナーが付着しているフィルム部材を被覆して収納する袋体を備えているので、トナーの飛散、付着を原因とする汚れを防止することできる。
【００１８】
また本発明のトナーカートリッジは、前記袋体はトナーカートリッジの外部側に取り付けられていることを特徴とする。
【００１９】
本発明のトナーカートリッジによれば、上述した効果に加えて、前記袋体はトナーカートリッジの外部側に取り付けられているので、ユーザは目視で汚れ防止機能が備わっていることを確認することができ、安心してフィルムの剥離除去を行うことができる。
【００２０】
また本発明のトナーカートリッジは、前記袋体はトナーカートリッジの内部側に取り付けられていることを特徴とする。
【００２１】
本発明のトナーカートリッジによれば、上述した効果に加えて、前記袋体はトナーカートリッジの内部側に取り付けられているので、装置サイズが大きくならない。
【００２２】
本発明のトナーカートリッジは、画像形成装置にトナーを供給するトナーカートリッジであって、前記トナーカートリッジは、トナーが収納されるカートリッジ本体と、前記カートリッジ本体に収納されたトナーを密封する袋状フィルム部材と、前記袋状フィルム部材の内部に挿入された引張部材と、からなり、前記引張部材は、前記袋状フィルム部材の閉口側の端辺に取り付けられ、前記引張部材を引くことにより前記袋状フィルム部が反転されながら前記カートリッジ本体から除去されることを特徴とする。
【００２３】
本発明のトナーカートリッジによれば、新規トナーカートリッジを取付けて、トナーを密封している袋体フィルム部材を剥離除去する際に、前記袋状フィルム部材は反転されて、トナーの付着した面が内側に取り込まれるので、トナーの飛散、付着を原因とする汚れを防止することできる。
【００２４】
本発明の画像形成装置は、前記トナーカートリッジを備えているため、トナー補給時に画像形成装置およびユーザの手が汚れることを防止することができる。
【発明を実施するための最良の形態】
【００２５】
以下、現像器にトナーを補充するトナーカートリッジおよび前記トナーカートリッジを備えた画像形成装置の構成に関して、図面を参照しながら説明を行う。
【００２６】
まず、本発明の実施の形態に係るトナーカートリッジ１００を備えた画像形成装置１２の下部には、図１に示すように、給紙カセット１３が配されている。その内部には多数の用紙Ｐが積層状態で収容されている。給紙ローラ１６は装置本体２０内に設けられ、用紙Ｐの送り出し端部側が、バネ１４の付勢力により押上板１５を介して、この給紙ローラ１６の下部外周面に圧接される。そして、給紙ローラ１６が回転されることにより、給紙カセット１３内から用紙Ｐが一枚ずつ送り出されると共に、同用紙Ｐが用紙ガイド１７及び一対の送りローラ１８を介して感光ドラム１９の下部に移送される。
【００２７】
画像形成プロセスを行う感光ドラム１９は装置本体２０のほぼ中央に回転可能に支持され、その外周面には光導電膜２１が形成されている。帯電器２２は感光ドラム１９の上部外周と対向するように配置され、この帯電器２２により前記光導電膜２１が所定電位（実施例では−７００Ｖ）に一様帯電される。露光器２３は前記帯電器２２と隣接して配置され、この露光器２３からの光の照射により、感光ドラム１９上に所定電位（実施例では−１００Ｖ）の静電潜像が形成される。
【００２８】
現像器２は前記感光ドラム１９の後部外周と対向するように配置され、トナーを収納するためのトナー収納部３と、感光ドラム１９と近接対向するようにトナー収納部３内の下端開口部に配設された現像ローラ２４とを備えている。そして、この現像ローラ２４によりトナーに所定電位（実施例では−４５０Ｖ）が付与され、その電位と前記静電潜像の電位との差に基づき、静電潜像にトナーが付着されて、静電潜像が顕像化される。また、現像器２の上方にはトナーカートリッジ１００が着脱可能に装着されている。
【００２９】
転写器２５及び転写ローラ２６は、用紙移送経路を挟んで前記感光ドラム１９と対向するように配設されている。そして、この転写ローラ２６により感光ドラム１９上に用紙Ｐが密着されると共に、転写器２５によりその密着部に所定電位（実施例では＋１００Ｖ）が付与され、その電位と前記トナー画像の電位との差に基づいて、感光ドラム１９上のトナー画像が用紙Ｐ上に転写される。
【００３０】
除電ランプ２７は前記転写器２５に近接して配設され、転写後の感光ドラム１９の外周面を露光して除電する。ブラシ２８は感光ドラム１９の外周面に対向配置され、転写後の感光ドラム１９上に付着している紙粉等を取り除く。導電性ブラシよりなるメモリ除去ブラシ２９は、感光ドラム１９の外周面に対向配置され、転写後の感光ドラム１９上に残留するトナーを掻き乱して、感光ドラム１９上に一様に分散させる。なお、前記現像器２は現像動作と平行して、メモリ除去ブラシ２９により分散された残留トナーを、静電吸引力により回収するクリーニング動作も行う。
【００３１】
加熱定着器３０は前記装置本体２０内に配設され、加熱ローラ３１と、その加熱ローラ３１に用紙移送経路を挟んで所要圧力にて接触する加圧ローラ３２とを備えている。そして、用紙Ｐが用紙ガイド３３を経てこの加熱ローラ３１と加圧ローラ３２との間に送り込まれて、用紙Ｐ上のトナー画像が加熱定着される。スタッカ３４は画像形成装置１２の上面に形成され、画像定着を終了した用紙Ｐが、用紙ガイド３５及び一対の排紙ローラ３６を介して、このスタッカ３４上に排出される。
【００３２】
以下、本発明の第一の実施形態であるトナーカートリッジ１００、および現像器２の構成について詳述する。ここで、現像器２にトナーカートリッジ１を取り付けた状態において、外部に露出している箇所を外部側とし、トナー収納部３のように外部に露出していない箇所を内部側とする。また、図２の斜視図に示す現像器２のストッパ８が設けられている側面側を前方として、以下の説明を行う。
【００３３】
図２に示すように、トナーカートリッジ１００が装着される段差部１０は現像器本体７の上面に形成され、この段差部１０の開口後縁には係止体３７が固定されている。ストッパ８はネジ（不図示）により現像器本体７の前側外面の中央部に取り付けられている。一方、トナーカートリッジ１００のカートリッジ本体１０４は略箱型に形成され、その開口周縁にはフランジ部１０９が設けられている。そして、カートリッジ本体１０４の内部にトナーを収納した状態で、このフランジ部１０９の外面にフィルム１０６を剥離可能に接着することにより、トナーがトナーカートリッジ１内に密封されている。又、トナーカートリッジ１００を現像器本体７上に装着する場合には、フランジ部１０９の後縁を係止体３７と現像器本体７との間に挿入係止し、フランジ部１０９の後縁をストッパ８と現像器本体７との間で係止した状態で、フィルム１０６を剥離除去することにより現像器本体７にトナーが補充され、トナーカートリッジ１００がトナー収納部３上に係止保持される。
【００３４】
フィルム１０６は矩形形状であり、その短手方向の長さは、図３（ｂ）に示すカートリッジ本体１０４の開口部１０５の短手方向の長さよりも若干長い寸法である。また、フィルム１０６の長手方向の長さは、開口部１０５の長手方向の長さの２倍以上の長さである。
【００３５】
このフィルム１０６は図３（ａ）および（ｅ）に示すように、その一方の短辺（以後「固定端３８」という。）から長手方向の中央部４２にかけて、トナーの充填されたカートリッジ本体１０４の開口部１０５の全面を覆い、開口部１０５の全縁に剥離可能な強さで接着されている。このように接着することにより、トナーはカートリッジ本体１０４と、フィルム１０６とにより密封される。このとき、固定端３８は、図３（ｅ）に示すように、カートリッジ本体１０４の挿通孔１１１側、中央部４２は反挿通孔１１１側に配されている。
【００３６】
上述したように接着されたフィルム１０６は、その長手方向の中央部４２付近で反転するように折り返され、湾曲部４０を形成する。そして、折り返された他方の短辺（以下「自由端１３９」という。）は挿通孔１１１に挿入され、トナーカートリッジ１００の外部側に露出させている。この露出させた自由端１３９がフィルム１０６を剥離させるための引張代１０２となる。
【００３７】
図３（ａ）に示すように、トナーカートリッジ１００の外部側に露出させたフィルム１０６の自由端１３９側には、袋体１０１が取り付けられている。袋体１０１は細長い円筒状のフィルム、または矩形のフィルムの両長辺側を貼り合わせ、円筒状としたものなどが用いられ、その長辺方向の長さは、フィルム１０６の長辺方向の長さと略等しい長さである。
【００３８】
袋体１０１の開口側の一端部１０７は、カートリッジ本体１０４に形成された挿通孔１１１の外部側に接触または仮止めされ、その内部にフィルム１０６の自由端１３９を挿通させている。そしてこの袋体１０１の他端部１０８は、トナーカートリッジ１００の外部側に露出したフィルム１０６の自由端１３９側の取付部１４０に対し、長手方向に圧縮された状態で取り付けられている。
【００３９】
以下、本発明の第一の実施形態トナーカートリッジ１００の取り付け時の汚れ防止の作用について記載する。現像器２にトナーカートリッジ１を取り付ける際には、現像器の段差部１０にトナーカートリッジ１００のフランジ部１０９を合わせ、フランジ部１０９の後縁を係止体３７と現像器本体７との間に挿入係止し、フランジ部１０９の前縁をストッパ８と現像器本体７との間で係止することによりトナーカートリッジ１００がトナー収納部３上に係止保持される。その後、フィルム１０６を剥離除去し、剥離除去されたフィルム１０６は、挿通孔１１１を通過すると同時に順次袋体１０１に覆われていく。
【００４０】
図３（ａ）に示すように、袋体１０１は圧縮された状態で、カートリッジ本体１０４の外面と取付部１４０との間に取り付けられているので、上述したようにフィルム１０６の剥離除去が開始されると、取付部１４０でフィルム１０６と一体化された袋体１０１は、その取付部１４０からその圧縮状態を開放し、フィルム１０６が剥離される動作に伴って順次伸長し、図３（ｃ）に示すように、フィルム１０６を被覆する。フィルム１０６が全て剥離除去された際には、図４に示すようにフィルム１０６の自由端１３９付近以外は、袋体１０１に被覆された状態となる。このとき、フィルム１０６のトナーに接触していた面には、トナーが付着しているが、フィルム１０６の前記トナー付着部分は袋体１０１の内部に覆い込まれるので、トナーの飛散、付着を原因とする汚れを防止することできる。また、袋体１０１の長辺方向の長さは、フィルム１０６を剥離除去した際に、そのトナー付着部分を覆うことができる長さであれば良いが、前述したようにフィルム１０６の長辺方向の長さと略等しい長さであれば、袋体１０１が前記トナー付着部分を覆った際に袋体１０１に余剰部分が無くなり、材料ロスが少なくなる。
【００４１】
次に図５に示す本発明の第二の実施形態について説明する。
【００４２】
ここで、この実施形態にのみ特有の構成について以下に説明し、前述した第一の実施形態と共通の構成については、同じ参照符号を付して説明を省略する。
【００４３】
トナーカートリッジ２００の内部側のフィルム２０６の一部には、袋体２０１が取り付けられている。袋体２０１は細長い円筒状のフィルム、または矩形のフィルムの長辺側を貼り合わせ、円筒状としたものなどが用いられ、その長辺方向の長さは、フィルム２０６の長辺方向の長さと略等しい長さである。この袋体２０１は、カートリッジ本体２０４の内部側かつ挿通孔２１１側に長辺方向に圧縮された状態で、一方の開口側端部２０２が取付部２４０に取り付けられている。他方の開口側端部２０３は固定されていないフリーな状態として、開口側端部２０２の近くで、かつこれらの間の袋体２０１を長手方向に圧縮した状態で配されている。さらに、図５（ｃ）に示すように、カートリッジ本体２０４の挿通孔２１１は、袋体２０１に覆われたフィルム２０６が挿通可能な大きさに構成されている。
【００４４】
以下、本発明の第二の実施形態のトナーカートリッジ２００の取り付け時の汚れ防止の作用について記載する。このような構成においてフィルム２０６が剥離除去されると、取付部２４０でフィルム２０６に取り付けられた袋体２０１は、その取付部２４０からその圧縮状態を開放し、フィルム２０６が剥離される動作に伴って順次伸長し、フィルム２０６を被覆する。第二の実施形態においてはトナーカートリッジ２００と現像器２に密閉された内部側において、フィルム２０６のトナー付着部分は袋体２０１の内部に覆われるので、トナーの飛散、付着をより効果的に防止することできる。また、内部側に袋体２０１を備えているので、特に現像器がユニット化されているトナーカートリッジにおいては、装置サイズをコンパクトに設計することが可能である。
【００４５】
次に図６に示す本発明の第三の実施形態について説明する。
【００４６】
ここで、この実施形態にのみ特有の構成について以下に説明し、前述した第一の実施形態と共通の構成については、同じ参照符号を付して説明を省略する
【００４７】
図６（ａ）に示すように、トナーカートリッジ３００はカートリッジ本体３０４に収納されたトナーを、矩形の袋状フィルム３０６で密封している。この袋状フィルム３０６の大きさは、カートリッジ本体３０４の開口部３０５の開口面積と略等しい大きさである。また、袋状フィルム３０６は、その一方の短辺のみが開口され（以下「開口側短辺３０３」という）、他方の短辺は閉口されている（以下「閉口側短辺３０８」という）。この開口側短辺３０３をカートリッジ本体３０４の挿通孔３１１側に配して、カートリッジ本体３０４の開口部３０５の全面を袋状フィルム３０６の外面で覆うように、かつ剥離可能な強さで接着する。
【００４８】
さらに、袋状フィルム３０６の内部には矩形状の引張部材３０７が挿通されており、この引張部材３０７の一方の短辺は、袋状フィルム３０６の閉口側短辺３０８に取り付けられている。また、引張部材３０７の他方の短辺は、袋状フィルム３０６の開口側短辺３０３から、カートリッジ本体３０４の挿通孔３１１を挿通させ、トナーカートリッジ３００の外部側に引張代３０２として延出させている。
【００４９】
以下、本発明の第三の実施形態のトナーカートリッジ３００の取り付け時の汚れ防止の作用について記載する。このような構成において、カートリッジ本体３０４の外部側に配された引張代３０２を引くと、閉口側短辺３０８で袋状フィルム３０６に取り付けられた引張部材３０７は、図６（ｂ）及び図６（ｄ）に示すように、袋状フィルム３０６が、その閉口側短辺３０８側から順次反転されながら剥離除去される。
【００５０】
前述のように、袋体フィルム３０６のトナーの付着した外側の面を、反転させて内側に取り込みながら剥離除去することにより、トナーの飛散、付着を原因とする汚れを防止することできる。
【００５１】
なお、本実施の形態で示した画像形成装置の構成は一例にすぎず、本発明の要旨を逸脱しない範囲内で適宜設計変更できることは勿論である。例えば、現像器とトナー収納部が一体的にユニットとして形成されたトナーカートリッジであっても、トナーが付着しているフィルム部材を被覆して収納することができる袋体を備えることにより、トナーの飛散、付着を原因とする汚れを防止することできる。
【図面の簡単な説明】
【００５２】
【図１】本発明のトナーカートリッジを備えた画像形成装置の概略断面図を示す。
【図２】トナーカートリッジと現像器の組み付けを示す概略斜視図である。
【図３】本発明の第一の実施形態を示す図である。（ａ）はフィルム部材が剥離されていない状態の側面を示す。（ｂ）はフィルム部材が剥離されていない状態の底面を示す。（ｃ）はフィルム部材が剥離され、順次袋体に被覆されている状態を示す。（ｄ）はＡ部の拡大図を示す。（ｅ）はＢ部の拡大図を示す。
【図４】剥離除去されたフィルム部材が、袋体に被覆された状態を示す。
【図５】（ａ）本発明の第二の実施形態を示す図である。（ｂ）はＡ部の拡大図を示す。（ｃ）はＡ部の拡大図（フィルム除去時）を示す。
【図６】本発明の第三の実施形態を示す図である。（ａ）は袋状フィルム部材が剥離されていない状態を示す。（ｂ）は袋状フィルム部材が剥離され、順次反転されている状態を示す。（ｃ）はＡ部の拡大図を示す。（ｄ）はＢ部の拡大図を示す。
【図７】従来のトナーカートリッジを示す図である。（ａ）は側面図を示す。（ｂ）は底面図を示す。
【符号の説明】
【００５３】
１  トナーカートリッジ（従来）
２  現像器
３  トナー収納部
４  カートリッジ本体
６  フィルム（フィルム部材）
１１  挿通孔
２４  現像ローラ
３９  自由端
１００  トナーカートリッジ（第一の実施形態）
１０１  袋体（第一の実施形態）
１０６  フィルム（第一の実施形態）
２００  トナーカートリッジ（第二の実施形態）
２０１  袋体（第二の実施形態）
２０６  フィルム（第二の実施形態）
３００  トナーカートリッジ（第三の実施形態）
３０６  袋状フィルム部材
３０７  引張部材
【図１】
2007155862.tif 000003
【図２】
2007155862.tif 000004
【図３】
2007155862.tif 000005
【図４】
2007155862.tif 000006
【図５】
2007155862.tif 000007
【図６】
2007155862.tif 000008
【図７】
2007155862.tif 000009